(57)【特許請求の範囲】
【請求項１】
施設内の目標温度を取得する目標温度取得部と、
前記施設内の複数の第一空間、及び、前記施設内の第二空間それぞれの温度を取得する温度取得部と、
前記複数の第一空間のそれぞれに配置された、送出される風の温度の調整が可能な空調装置を制御することにより、前記温度取得部によって取得される前記複数の第一空間それぞれの温度を、前記目標温度取得部によって取得された目標温度に近づける制御部とを備え、
前記制御部は、前記第二空間と前記施設外との間で換気を行う換気装置をさらに制御することにより、前記複数の第一空間の少なくとも１つから前記第二空間への空気の流れを発生させることで、前記温度取得部によって取得される前記第二空間の温度を、前記目標温度取得部によって取得された前記目標温度に近づける
空調制御システム。
【請求項２】
前記第二空間には、前記空調装置が配置されない
請求項１に記載の空調制御システム。
【請求項３】
前記制御部は、前記換気装置の風量を制御することにより、前記温度取得部によって取得される前記第二空間の温度を、前記目標温度取得部によって取得された前記目標温度に近づける
請求項１または２に記載の空調制御システム。
【請求項４】
前記制御部は、前記施設内と前記施設外との間で換気を行う複数の換気装置を個別に制御することにより、前記温度取得部によって取得される前記複数の第一空間それぞれの温度を、前記目標温度取得部によって取得された前記目標温度に近づける
請求項１〜３のいずれか１項に記載の空調制御システム。
【請求項５】
前記制御部は、前記複数の第一空間の間で換気を行う換気装置をさらに制御することにより、前記温度取得部によって取得される前記複数の第一空間それぞれの温度を、前記目標温度取得部によって取得された前記目標温度に近づける
請求項１〜４のいずれか１項に記載の空調制御システム。
【請求項６】
さらに、前記施設の外気温を取得する外気温取得部を備え、
前記制御部は、前記外気温取得部によって取得された前記施設外の温度に基づいて、前記空調装置を制御する
請求項１〜５のいずれか１項に記載の空調制御システム。
【請求項７】
前記制御部は、
前記目標温度が、前記温度取得部によって取得された一の空間の温度よりも低く、かつ、前記外気温取得部によって取得された外気温が前記目標温度以下の第１の所定値よりも低い場合、当該一の空間に配置された前記空調装置に冷房をさせず、
前記目標温度が、前記温度取得部によって取得された一の空間の温度よりも高く、かつ、前記外気温取得部によって取得された外気温が前記目標温度以上の第２の所定値よりも高い場合、当該一の空間に配置された前記空調装置に暖房をさせない
請求項６に記載の空調制御システム。
【請求項８】
さらに、
特定のユーザに対して定められる目標温度を取得する特定目標温度取得部と、
前記施設内の空間に前記特定のユーザがいるか否かを示すユーザ存否情報を取得するユーザ存否情報取得部とを備え、
前記制御部は、前記空調装置を制御することによって、前記ユーザ存否情報に基づいて前記特定のユーザがいると判断される空間の温度を、前記特定目標温度取得部によって取得された前記目標温度に近づける動作をさらに行う 
請求項１〜７のいずれか１項に記載の空調制御システム。
【請求項９】
さらに、前記複数の第一空間のそれぞれの目標温度を取得する個別目標温度取得部を備え、
前記制御部は、前記空調装置を制御することによって、前記温度取得部によって取得される前記複数の第一空間それぞれの温度を、前記個別目標温度取得部によって取得された当該第一空間に対応する目標温度に近づける動作をさらに行う
請求項１〜８のいずれか１項に記載の空調制御システム。
【請求項１０】
さらに、複数の前記空調装置を個別にオフするためのユーザの指示を取得する指示取得部を備え、
前記制御部は、前記ユーザの指示に基づいて複数の前記空調装置を個別にオフする
請求項１〜９のいずれか１項に記載の空調制御システム。
【請求項１１】
前記施設内の空間に人がいるか否かを示す存否情報を取得する存否情報取得部を備え、
前記制御部は、前記存否情報によって人の不在が示される空間に配置された前記空調装置をオフする
請求項１〜９のいずれか１項に記載の空調制御システム。
【請求項１２】
施設内の目標湿度を取得する目標湿度取得部と、
前記施設内の複数の第一空間、及び、前記施設内の第二空間それぞれの湿度を取得する湿度取得部と、
前記複数の第一空間のそれぞれに配置された、送出される風の温度の調整が可能な空調装置を制御することにより、前記湿度取得部によって取得される前記複数の第一空間それぞれの湿度を、前記目標湿度取得部によって取得された目標湿度に近づける制御部とを備え、
前記制御部は、前記第二空間と前記施設外との間で換気を行う換気装置をさらに制御することにより、前記複数の第一空間の少なくとも１つから前記第二空間への空気の流れを発生させることで、前記湿度取得部によって取得される前記第二空間の湿度を、前記目標湿度取得部によって取得された前記目標湿度に近づける
空調制御システム。
【請求項１３】
さらに、前記複数の空間のそれぞれの目標湿度を取得する個別目標湿度取得部を備え、
前記制御部は、前記空調装置を制御することによって、前記湿度取得部によって取得される前記複数の第一空間それぞれの湿度を、前記個別目標湿度取得部によって取得された当該空間に対応する目標湿度に近づける動作をさらに行う
請求項１２に記載の空調制御システム。
【請求項１４】
施設内の目標温度を取得し、
前記施設内の複数の第一空間、及び、前記施設内の第二空間それぞれの温度を取得し、
前記複数の第一空間のそれぞれに配置された、送出される風の温度の調整が可能な空調装置を制御することにより、取得される前記複数の第一空間それぞれの温度を、取得された目標温度に近づけ、
前記第二空間と前記施設外との間で換気を行う換気装置をさらに制御することにより、前記複数の第一空間の少なくとも１つから前記第二空間への空気の流れを発生させることで、取得された前記第二空間の温度を、取得された前記目標温度に近づける
空調制御方法。
【請求項１５】
請求項１４に記載の空調制御方法をコンピュータに実行させるためのプログラム。
【請求項１６】
施設内の目標湿度を取得し、
前記施設内の複数の第一空間、及び、前記施設内の第二空間それぞれの湿度を取得し、
前記複数の第一空間のそれぞれに配置された、送出される風の温度の調整が可能な空調装置を制御することにより、取得される前記複数の第一空間それぞれの湿度を、取得された目標湿度に近づけ、
前記第二空間と前記施設外との間で換気を行う換気装置をさらに制御することにより、前記複数の第一空間の少なくとも１つから前記第二空間への空気の流れを発生させることで、取得された前記第二空間の湿度を、取得された前記目標湿度に近づける
空調制御方法。
【請求項１７】
請求項１６に記載の空調制御方法をコンピュータに実行させるためのプログラム。
【発明の詳細な説明】
【技術分野】
【０００１】
本発明は、全館空調が可能な空調制御システム、及び、空調制御方法に関する。
【背景技術】
【０００２】
住宅構造躯体を空気流路として冷暖房を行う全館空調制御システムが知られている。例えば、特許文献１には、１台のエアコン室内ユニットを効率よく運転し、かつ、ある程度の個別空調を実現することができる全館空調制御システムが開示されている。
【先行技術文献】
【特許文献】
【０００３】
【特許文献１】特開平０９−０７９６４８号公報
【発明の概要】
【発明が解決しようとする課題】
【０００４】
一般に、全館空調制御システムには、全館空調専用の１台の空調装置が用いられる。このような全館空調制御システムにおいては、この１台の空調装置が故障した場合に施設内の空調が一切できなくなってしまうため、空調装置が故障した場合の対策に課題がある。
【０００５】
本発明は、空調不能となるリスクが低減された、全館空調が可能な空調制御システムを提供する。
【課題を解決するための手段】
【０００６】
本発明の一態様に係る空調制御システムは、施設内の目標温度を取得する目標温度取得部と、前記施設内の複数の空間それぞれの温度を取得する温度取得部と、前記複数の空間のそれぞれに配置された、送出される風の温度の調整が可能な空調装置を制御することにより、前記温度取得部によって取得される前記複数の空間それぞれの温度を、前記目標温度取得部によって取得された目標温度に近づける制御部とを備える。
【０００７】
本発明の一態様に係る空調制御システムは、施設内の目標湿度を取得する目標湿度取得部と、前記施設内の複数の空間それぞれの湿度を取得する湿度取得部と、前記複数の空間のそれぞれに配置された、送出される風の温度の調整が可能な空調装置を制御することにより、前記湿度取得部によって取得される前記複数の空間それぞれの湿度を、前記目標湿度取得部によって取得された目標湿度に近づける制御部とを備える。
【０００８】
本発明の一態様に係る空調制御方法は、施設内の目標温度を取得し、前記施設内の複数の空間それぞれの温度を取得し、前記複数の空間のそれぞれに配置された、送出される風の温度の調整が可能な空調装置を制御することにより、取得される前記複数の空間それぞれの温度を、取得された目標温度に近づける。
【０００９】
本発明の一態様に係るプログラムは、上記空調制御方法をコンピュータに実行させるためのプログラムである。
【００１０】
本発明の一態様に係る空調制御方法は、施設内の目標湿度を取得し、前記施設内の複数の空間それぞれの湿度を取得し、前記複数の空間のそれぞれに配置された、送出される風の温度の調整が可能な空調装置を制御することにより、取得される前記複数の空間それぞれの湿度を、取得された目標湿度に近づける。
【００１１】
本発明の一態様に係るプログラムは、上記空調制御方法をコンピュータに実行させるためのプログラムである。
【発明の効果】
【００１２】
本発明によれば、空調不能となるリスクが低減された、全館空調が可能な空調制御システムを実現することができる。
【図面の簡単な説明】
【００１３】
【図１】図１は、実施の形態に係る空調制御システムの概要を示す図である。
【図２】図２は、実施の形態に係る空調制御システムの構成を示すブロック図である。
【図３】図３は、全館空調モードの動作例１のフローチャートである。
【図４】図４は、全館空調モードの動作例２のフローチャートである。
【図５】図５は、全館空調モードの動作例３のフローチャートである。
【図６】図６は、個別空調モードの動作例１のフローチャートである。
【図７】図７は、個別空調モードの動作例２のフローチャートである。
【図８】図８は、ユーザ依存空調制御の一例を示すフローチャートである。
【図９】図９は、外気温を考慮した制御の一例を示すフローチャートである。
【図１０】図１０は、外気温を考慮した制御の別の例を示すフローチャートである。
【図１１】図１１は、複数の空調装置を個別にオンまたはオフする制御の一例を示すフローチャートである。
【図１２】図１２は、人の存否に基づいて空調装置をオンまたはオフする制御の一例を示すフローチャートである。
【発明を実施するための形態】
【００１４】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１５】
なお、各図は模式図であり、必ずしも厳密に図示されたものではない。また、各図において、実質的に同一の構成に対しては同一の符号を付し、重複する説明は省略または簡略化される場合がある。
【００１６】
（実施の形態）
［空調制御システムの構成］
まず、実施の形態に係る空調制御システムの構成について説明する。図１は、実施の形態に係る空調制御システムの概要を示す図である。図２は、実施の形態に係る空調制御システムの構成を示すブロック図である。
【００１７】
図１に示されるように、空調制御システム１０は、施設１１に設けられ、施設１１内において全館空調を行うためのシステムである。施設１１は、例えば、戸建住宅である。施設１１内には、壁及び扉などで仕切られた複数の空間（部屋）が含まれる。複数の空間は、具体的には、空間１２、空間１２ａ、空間１２ｂ、及び、空間１２ｃである。
【００１８】
空調制御システム１０においては、１台の全館空調専用の空調装置ではなく、複数の空間のそれぞれに配置された家庭用の空調装置によって全館空調が行われる。具体的には、空間１２に配置された空調装置３０、空間１２ａに配置された空調装置３０ａ、及び、空間１２ｂに配置された空調装置３０ｂが用いられる。
【００１９】
全館空調専用の空調装置を一般の戸建住宅、または、既築の建物などに導入することは、工事の手間がかかること、及び、コストが高いことなどの理由から容易ではない。これに対し、空調制御システム１０は、複数の家庭用の空調装置を用いて全館空調を行うため、導入が容易である。
【００２０】
また、一般に、全館空調制御システムには、全館空調専用の１台の空調装置が用いられる。このような全館空調制御システムにおいては、この１台の空調装置が故障した場合に施設１１内の空調が一切できなくなってしまうため、空調装置が故障した場合の対策に課題がある。
【００２１】
これに対し、空調制御システム１０では、複数の空調装置が用いられるため、施設１１内が空調不能となるリスクが低減されている。
【００２２】
なお、施設１１内には、空間１２ｃのように、空調装置が配置されない空間が含まれてもよい。施設１１内には、空調装置が配置された空間が少なくとも２つ含まれればよい。施設１１内に含まれる空間の数は、特に限定されない。
【００２３】
また、空調制御システム１０では、複数の空間のそれぞれに配置された空調装置が使用されるため、複数の空間を異なる温度（または異なる湿度）にすることが容易である。そこで、空調制御システム１０は、複数の空間の温度を１つの目標温度に近づける全館空調を行う全館空調モードの動作と、複数の空間のそれぞれに目標温度が設定される個別空調モードの動作とを選択的に実行する。
【００２４】
図１及び図２に示されるように、空調制御システム１０は、具体的には、制御装置２０と、空調装置３０と、空調装置３０ａと、空調装置３０ｂと、第一換気装置４０と、第一換気装置４０ａと、第一換気装置４０ｂと、第二換気装置５０と、室外機６０とを備える。また、空調制御システム１０は、温湿度計測装置６５と、表示装置７０と、ユーザ検知装置８０とを備える。以下、空調制御システム１０を構成する各構成要素について説明する。
【００２５】
［空調装置］
空調装置３０、空調装置３０ａ、及び、空調装置３０ｂは、施設１１内の複数の空間のそれぞれに配置される空調装置の一例である。空調装置３０は、空間１２に配置され、空調装置３０ａは、空間１２ａに配置され、空調装置３０ｂは、空間１２ｂに配置される。以下、空調装置３０の詳細な構成について説明する。なお、空調装置３０ａ及び空調装置３０ｂについては空調装置３０と同様の構成であるため、詳細な説明については省略される。
【００２６】
空調装置３０は、一般家庭用の空調装置であり、熱交換器（図示せず）などを有することにより、空調装置３０から送出される風の温度の調整が可能な空調装置である。つまり、空調装置３０は、送風機能及び冷暖房機能を有する。空調装置３０は、一般家庭用の空調装置に限定されず、汎用の空調装置であって、個室を空調するための空調装置であればよい。空調装置３０は、第二通信部３１と、空調制御部３２と、熱画像センサ３３と、湿度センサ３４とを備える。
【００２７】
第二通信部３１は、制御装置２０の第一通信部２１と無線通信を行う通信モジュール（通信回路）である。第二通信部３１は、具体的には、制御装置２０が有する第一通信部２１から制御信号を受信する。また、第二通信部３１は、空調制御部３２の制御に基づいて、第一通信部２１に、空間１２の温度情報、及び、空間１２の湿度情報などを送信する。空間１２の温度情報は、熱画像センサ３３によって計測された空間１２の温度を示す情報である。空間１２の湿度情報は、湿度センサ３４によって計測された空間１２の湿度を示す情報である。
【００２８】
空調制御部３２は、第二通信部３１が受信した制御信号に基づいて、空調装置３０から送出される風の温度、風量、及び、風向きなどを制御する。また、空調制御部３２は、湿度センサ３４から出力される湿度情報を、第二通信部３１に送信させる。
【００２９】
また、空調制御部３２は、熱画像センサ３３から得られる熱画像に基づいて、空間１２の温度（熱画像センサ３３を構成する各画素が示す温度の平均温度）を算出し、算出した温度を示す温度情報を第二通信部３１に送信させる。空調制御部３２は、具体的には、プロセッサ、マイクロコンピュータ、または専用回路によって実現される。
【００３０】
熱画像センサ３３は、複数の赤外線検出素子からなり、空間１２の熱画像を生成する。熱画像センサ３３によって生成された熱画像は、空調制御部３２に出力される。なお、空調装置３０は、空間１２の温度を計測するために熱画像センサ３３を備えているが、熱画像センサ３３に代えて一般的な温度センサを備えてもよい。
【００３１】
湿度センサ３４は、空間１２の湿度を計測する。湿度センサ３４は、具体的には、高分子抵抗式の湿度センサ、または、高分子容量式の湿度センサなどである。
【００３２】
［制御装置］
制御装置２０は、空調装置３０、空調装置３０ａ、及び、空調装置３０ｂを制御するコントローラである。制御装置２０は、具体的には、空調装置とは別体のＨＥＭＳ（Ｈｏｍｅ  Ｅｎｅｒｇｙ  Ｍａｎａｇｅｍｅｎｔ  Ｓｙｓｔｅｍ）コントローラであるが、その他のコントローラであってもよい。また、制御装置２０は、施設１１の外部に設けられたサーバ装置であってもよい。制御装置２０は、空間１２に配置されているが、制御装置２０は、他の空間に配置されてもよい。制御装置２０は、具体的には、第一通信部２１と、制御部２２と、記憶部２３とを備える。
【００３３】
第一通信部２１は、空調装置３０、空調装置３０ａ、空調装置３０ｂ、第一換気装置４０、第一換気装置４０ａ、第一換気装置４０ｂ、第二換気装置５０、室外機６０、温湿度計測装置６５、表示装置７０、及び、ユーザ検知装置８０と無線通信を行う。第一通信部２１は、具体的には、無線通信用の通信モジュール（通信回路）である。
【００３４】
第一通信部２１は、目標温度取得部の一例であって、施設１１内の目標温度（目標温度情報）を表示装置７０が備える第三通信部７３から取得する。目標温度は、ユーザによって、表示装置７０の入力受付部７２に入力される。施設１１内の目標温度は、全館空調モードの動作において使用される。
【００３５】
第一通信部２１は、温度取得部の一例であって、施設１１内の複数の空間それぞれの温度（温度情報）を取得する。第一通信部２１は、具体的には、空間１２の温度を空調装置３０から取得し、空間１２ａの温度を空調装置３０ａから取得し、空間１２ｂの温度を空調装置３０ｂから取得し、空間１２ｃの温度を温湿度計測装置６５から取得する。
【００３６】
第一通信部２１は、外気温取得部の一例であって、施設１１の周辺の外気温（外気温情報）を取得する。第一通信部２１は、具体的には、施設１１の外気温を室外機６０が備える温度センサ６１から取得する。
【００３７】
第一通信部２１は、個別目標温度取得部の一例であって、複数の空間のそれぞれの目標温度（目標温度情報）を、表示装置７０が備える第三通信部７３から取得する。複数の空間のそれぞれの目標温度は、後述の個別空調モードの動作において使用される。
【００３８】
第一通信部２１は、目標湿度取得部の一例であって、施設１１内の目標湿度（目標湿度情報）を、表示装置７０が備える第三通信部７３から取得する。目標湿度は、ユーザによって、表示装置７０の入力受付部７２に入力される。施設１１内の目標温度は、全館空調モードの動作において使用される。
【００３９】
第一通信部２１は、湿度取得部の一例であって、施設１１内の複数の空間それぞれの湿度（湿度情報）を取得する。第一通信部２１は、具体的には、空間１２の湿度を空調装置３０から取得し、空間１２ａの湿度を空調装置３０ａから取得し、空間１２ｂの湿度を空調装置３０ｂから取得し、空間１２ｃの湿度を温湿度計測装置６５から取得する。
【００４０】
第一通信部２１は、個別目標湿度取得部の一例であって、複数の空間のそれぞれの目標湿度（目標湿度情報）を、表示装置７０が備える第三通信部７３から取得する。複数の空間のそれぞれの目標湿度は、個別空調モードの動作において使用される。
【００４１】
第一通信部２１は、特定目標温度取得部の一例であって、特定のユーザに対して定められる目標温度（目標温度情報）を、表示装置７０が備える第三通信部７３から取得する。特定のユーザに対して定められる目標温度は、後述のユーザ依存空調制御において使用される。
【００４２】
第一通信部２１は、ユーザ存否情報取得部の一例であって、施設１１内の空間に特定のユーザがいるか否かを示すユーザ存否情報を、ユーザ検知装置８０から取得する。ユーザ存否情報は、ユーザ依存空調制御において使用される。
【００４３】
第一通信部２１は、指示取得部の一例であって、複数の空調装置を個別にオンまたはオフするためのユーザの指示を取得する。ユーザの指示は、ユーザによって、表示装置７０の入力受付部７２に入力される。
【００４４】
第一通信部２１は、存否情報取得部の一例であって、施設１１内の空間に人がいるか否かを示す存否情報を取得する。存非情報は、例えば、空調装置３０（熱画像センサ３３）から取得される。
【００４５】
また、第一通信部２１は、制御部２２の制御に基づいて、空調装置３０、空調装置３０ａ、空調装置３０ｂ、第一換気装置４０、第一換気装置４０ａ、第一換気装置４０ｂ、第二換気装置５０、及び、室外機６０に制御信号を送信する。
【００４６】
制御部２２は、第一通信部２１に制御信号を送信させることにより、空調装置３０、空調装置３０ａ、空調装置３０ｂ、第一換気装置４０、第一換気装置４０ａ、第一換気装置４０ｂ、第二換気装置５０、及び、室外機６０を制御する。制御部２２は、具体的には、プロセッサ、マイクロコンピュータ、または専用回路によって実現される。
【００４７】
記憶部２３は、制御部２２が実行する制御プログラムなどが記憶される記憶装置である。記憶部２３は、具体的には、半導体メモリなどによって実現される。
【００４８】
［換気装置］
第一換気装置４０は、空間１２ｃに配置され、施設１１内（屋内）と施設１１外（屋外）との間で換気を行う。第一換気装置４０は、いわゆる換気扇であり、ファンの回転により空間１２ｃ内の空気を施設１１の外に排気する。第一換気装置４０は、基本的には、施設１１外の空気を空間１２ｃ内に取り込む（吸気する）ことはできない。また、第一換気装置４０は、排気量（風量）を変更することができる。
【００４９】
なお、空調装置３０と異なり、第一換気装置４０は、施設１１外に排気される空気の温度の調整機能を有しない。つまり、第一換気装置４０は、送風機能を有するが、冷房機能及び暖房機能は有しない。
【００５０】
また、図示されないが、第一換気装置４０は、制御装置２０と無線通信を行うための通信モジュール（通信回路）を有し、制御装置２０が備える第一通信部２１によって送信される制御信号を受信する。
【００５１】
第一換気装置４０ａは、空間１２ａに配置される。第一換気装置４０ａは、第一換気装置４０と同様の構成である。第一換気装置４０ｂは、空間１２ｂに配置される。第一換気装置４０ｂは、第一換気装置４０と同様の構成である。
【００５２】
第二換気装置５０は、施設１１内の複数の空間の間で換気を行う換気装置である。第二換気装置５０は、いわゆる換気扇であり、空間１２ａに配置された通気孔５１ａと空間１２ｂに配置された通気孔５１ｂとつなぐダクト５２内に配置される。
【００５３】
第二換気装置５０は、いわゆる換気扇であり、例えば、ファンを正転することにより空間１２ａ内の空気を空間１２ｂに送出し、ファンを逆転することにより空間１２ｂ内の空気を空間１２ａに送出する。また、第二換気装置５０は、風量を変更することができる。
【００５４】
なお、空調装置３０と異なり、第二換気装置５０は、空気の温度の調整機能を有しない。つまり、第二換気装置５０は、送風機能を有するが、冷房機能及び暖房機能は有しない。
【００５５】
また、図示されないが、第二換気装置５０は、制御装置２０と無線通信を行うための通信モジュール（通信回路）を有し、制御装置２０が備える第一通信部２１によって送信される制御信号を受信する。
【００５６】
［室外機］
室外機６０は、空調装置３０の室外機である。なお、図示されないが、施設１１には、空調装置３０ａの室外機、及び、空調装置３０ｂの室外機も配置される。
【００５７】
室外機６０は、温度センサ６１を備える。温度センサ６１は、サーミスタまたは熱電対などの温度計測用の素子を有し、施設１１の外気温を計測する。また、図示されないが、室外機６０は、制御装置２０と無線通信を行うための通信モジュール（通信回路）を有し、温度センサ６１によって計測された外気温を示す外気温場情報を、制御装置２０が備える第一通信部２１に送信する。なお、外気温の計測には、室外機６０と別体の温度センサ（温度計測装置）が用いられてもよい。
【００５８】
［温湿度計測装置］
温湿度計測装置６５は、施設１１内の温度及び湿度を計測する装置である。温湿度計測装置６５は、空調装置が配置されない空間１２ｃに配置され、空間１２ｃの温度を計測する。
【００５９】
温湿度計測装置６５は、具体的には、サーミスタまたは熱電対などの温度計測用の素子を有し、空間１２ｃの温度を計測する。また、温湿度計測装置６５は、高分子抵抗式の湿度センサ、または、高分子容量式の湿度センサなどの湿度計測用の素子を有し、空間１２ｃ内の湿度を計測する。
【００６０】
また、図示されないが、温湿度計測装置６５は、制御装置２０と無線通信を行うための通信モジュール（通信回路）を有し、空間１２ｃの温度を示す温度情報、及び、空間１２ｃの湿度を示す湿度情報を、制御装置２０が備える第一通信部２１に送信する。
【００６１】
［表示装置］
表示装置７０は、全館空調のための目標温度（目標湿度）、及び、複数の空間のそれぞれの目標温度（目標湿度）を、ユーザが入力するための装置である。表示装置７０は、具体的には、例えば、パーソナルコンピュータであるが、テレビ、スマートフォン、または、タブレット端末であってもよい。また、表示装置７０は、制御装置２０に対応した専用の表示装置であってもよい。表示装置７０は、表示部７１と、入力受付部７２と、第三通信部７３と、表示制御部７４とを備える。
【００６２】
表示部７１は、表示制御部７４の制御に基づいて、ユーザが目標温度を入力するための画像を表示する。表示部７１は、具体的には、液晶パネル、または、有機ＥＬパネルなどによって実現される。
【００６３】
入力受付部７２は、ユーザが、目標温度を入力するためのユーザインタフェースである。入力受付部７２は、具体的には、表示装置７０がパーソナルコンピュータである場合には、キーボード及びマウスなどであるが、入力受付部７２の具体的態様は、特に限定されない。例えば、表示装置７０がスマートフォンまたはタブレット端末である場合には、入力受付部７２は、タッチパネルを含むＧＵＩ（Ｇｒａｐｈｉｃａｌ  Ｕｓｅｒ  Ｉｎｔｅｒｆａｃｅ）である。
【００６４】
表示制御部７４は、表示部７１に画像を表示させる制御を行う。また、表示制御部７４は、入力受付部７２が受け付けた目標温度を示す目標温度情報を、第三通信部７３に送信させる。表示制御部７４は、また、表示制御部７４は、入力受付部７２が受け付けた目標湿度を示す目標湿度情報を、第三通信部７３に送信させる。送信された目標温度情報及び目標湿度情報は、制御装置２０が備える第一通信部２１によって受信される。表示制御部７４は、具体的には、プロセッサ、マイクロコンピュータ、または専用回路によって実現される。
【００６５】
第三通信部７３は、制御装置２０が備える第一通信部２１と通信を行う。第三通信部７３は、具体的には、無線通信用の通信モジュール（通信回路）である。第三通信部７３は、目標温度情報及び目標湿度情報を、制御装置２０が備える第一通信部２１に送信する。
【００６６】
［ユーザ検知装置］
ユーザ検知装置８０は、ユーザ検知装置８０が配置された空間内に、特定のユーザがいるか否か検知する。また、ユーザ検知装置８０は、特定のユーザがいるか否かを示すユーザ存否情報を制御装置２０が備える第一通信部２１に送信する。ユーザ検知装置８０は、例えば、空間１２ａに配置される。
【００６７】
ユーザ検知装置８０は、特定のユーザが所持するスマートフォンを検知することにより、特定のユーザが空間１２ａ内にいるか否かを検知する。ユーザ検知装置８０は、具体的には、制御装置２０が備える第一通信部２１と通信が可能であり、かつ、特定のユーザが所有するスマートフォンと通信が可能な無線通信装置（無線通信回路）を備える。スマートフォンが空間１２ａ内に存在するかどうかの検知は、具体的には、ＡＲＰ（Ａｄｄｒｅｓｓ  Ｒｅｓｏｌｕｔｉｏｎ  Ｐｒｏｔｏｃｏｌ）またはＵＰｎＰ（Ｕｎｉｖｅｒｓａｌ  Ｐｌｕｇ  ａｎｄ  Ｐｌａｙ）などの探索プロトコルを用いることにより可能である。また、スマートフォンが空間１２ａ内に存在するかどうかの判定には、ＥＣＨＯＮＥＴ−Ｌｉｔｅなどの標準プロトコルが用いられてもよい。
【００６８】
ユーザ検知装置８０は、上記のような探索プロトコルを用いて、特定のユーザが所持するスマートフォン（スマートフォンのＩＤ）を検知できた場合は、上記特定のユーザが空間１２ａ内に存在していると判定する。そして、ユーザ検知装置８０は、空間１２ａ内に特定のユーザが存在することを示すユーザ存否情報を送信する。
【００６９】
また、ユーザ検知装置８０は、上記のような探索プロトコルを用いて、特定のユーザが所持するスマートフォンを検知できなかった場合は、上記特定のユーザが空間１２ａ内に存在していないと判定する。そして、ユーザ検知装置８０は、空間１２ａ内に特定のユーザが存在していないことを示すユーザ存否情報を送信する。ユーザ検知装置８０によって送信されるユーザ存否情報は、ユーザ依存空調制御において使用される。
【００７０】
なお、上記構成は、ユーザ検知装置８０の一例である。例えば、ユーザ検知装置８０は、撮像装置、及び、画像処理装置（画像処理プロセッサ）を備え、撮像装置によって撮像された画像に対して、画像処理装置を用いた顔認識処理を行うことにより、空間１２ａ内に特定のユーザが存在するか否かを検知してもよい。
【００７１】
［全館空調モードの動作例１］
次に、空調制御システム１０の全館空調モードの動作について説明する。図３は、全館空調モードの動作例１のフローチャートである。
【００７２】
まず、制御装置２０が備える第一通信部２１は、施設１１内の目標温度（目標温度情報）を取得する（Ｓ１１）。第一通信部２１は、具体的には、表示装置７０が備える第三通信部７３から目標温度を受信する。この場合の目標温度は、空間ごと（空調装置ごと）に定められる目標温度とは異なり、全館空調の対象となる複数の空間に対して１つだけ定められる。
【００７３】
次に、第一通信部２１は、施設１１内の複数の空間それぞれの温度（温度情報）を取得する（Ｓ１２）。第一通信部２１は、空調装置３０が備える第二通信部３１から空間１２の温度を取得し、空調装置３０ａが備える第二通信部３１から空間１２ａの温度を取得し、空調装置３０ｂが備える第二通信部３１から空間１２ｂの温度を取得する。なお、複数の空間それぞれには、温湿度計測装置６５と同様の構成の温湿度計測装置が配置されてもよく、この場合には、第一通信部２１は、複数の空間のそれぞれに配置された温湿度計測装置から複数の空間それぞれの温度を取得してもよい。
【００７４】
次に、制御部２２は、複数の空間のそれぞれに配置された、送出される風の温度の調整が可能な空調装置を制御することにより、第一通信部２１によって取得される複数の空間それぞれの温度を、第一通信部２１によって取得された目標温度に近づける（Ｓ１３）。
【００７５】
制御部２２は、具体的には、空調装置３０、空調装置３０ａ、及び、空調装置３０ｂのそれぞれに制御信号を送信することにより、空間１２、空間１２ａ、及び、空間１２ｂのそれぞれの温度を、目標温度に近づける。
【００７６】
例えば、制御部２２は、空間１２の現在の温度と目標温度とを比較し、比較結果に基づいて空調装置３０の風量及び風の温度の少なくとも一方を制御することで、空間１２の温度を目標温度に近づける。同様に、制御部２２は、空間１２ａの現在の温度と目標温度とを比較し、比較結果に基づいて空調装置３０ａの風量及び風の温度の少なくとも一方を制御することで、空間１２ａの温度を目標温度に近づける。制御部２２は、空間１２ｂの現在の温度と目標温度とを比較し、比較結果に基づいて空調装置３０ｂの風量及び温度の少なくとも一方を制御することで、空間１２ｂの温度を目標温度に近づける。
【００７７】
このように、空調制御システム１０は、複数の空間のそれぞれに配置された空調装置を制御することにより、施設１１内の複数の空間の温度を目標温度に近づけることができる。つまり、空調制御システム１０は、施設１１内の温度を均一にする全館空調が可能である。
【００７８】
また、空調制御システム１０は、複数の空調装置を用いて全館空調を行うため、一部の空調装置が故障したとしても、他の空調装置を用いて全館空調を継続することができる。つまり、空調制御システム１０においては、施設１１内が空調不能となるリスクが低減されている。
【００７９】
また、空調制御システム１０において、複数の空間のそれぞれにあらかじめ配置された家庭用の空調装置が流用されれば、施設１１において容易に低コストで全館空調を実現することができる。空調制御システム１０において家庭用の空調装置が流用されれば、一部の空調装置が故障したとしても空調装置の入れ替えにかかるコストが低い利点もある。
【００８０】
［全館空調モードの動作例２］
なお、制御部２２は、第一換気装置（例えば、第一換気装置４０）、または、第二換気装置５０をさらに制御することにより、第一通信部２１によって取得される複数の空間それぞれの温度を、前記第一通信部によって取得された目標温度に近づけてもよい。図４は、全館空調モードの動作例２のフローチャートである。
【００８１】
図４に示されるように、動作例２では、まず、目標温度の取得（Ｓ１１）、及び、複数の空間それぞれの温度の取得（Ｓ１２）が行われる。その後、制御部２２は、空調装置及び換気装置を制御することにより、第一通信部２１によって取得される複数の空間それぞれの温度を、第一通信部２１によって取得された目標温度に近づける（Ｓ１４）。
【００８２】
以下、ステップＳ１４の動作の一例として、制御部２２が空調装置３０及び第一換気装置４０を制御する例について説明する。
【００８３】
上記図１で説明した空間１２ｃは、空調装置が配置されていない空間である。空間１２ｃの温度を目標温度に近づける場合、制御部２２は、温湿度計測装置６５から取得される空間１２ｃの現在の温度と目標温度とを比較する。比較結果に基づき、空間１２ｃの温度の調整が必要である場合には、制御部２２は、例えば、空調装置３０及び第一換気装置４０を動作させ、空間１２から空間１２ｃへの空気の流れを発生させる。
【００８４】
以上のように、制御部２２は、施設１１内と施設１１外との間で換気を行う第二換気装置５０をさらに制御することにより、第一通信部２１によって取得される複数の空間それぞれの温度を、第一通信部２１によって取得された目標温度に近づけてもよい。これにより、空調制御システム１０は、施設１１内で気流を形成することによって、精度の高い空調制御、及び、効率的な空調制御を行うことができる。例えば、制御部２２は、送出される風の温度の調整が可能な空調装置３０を用いて、空調装置３０が配置されていない空間１２ｃの温度を目標温度に近づけることができる。なお、空間１２及び空間１２は、壁及び扉等で仕切られているが、扉の隙間などを利用して空気の流れを発生させることが可能である。
【００８５】
なお、制御部２２は、第一換気装置４０を単に動作させるだけでなく、風量を制御してもよい。つまり、制御部２２は、第一換気装置４０の風量を制御することにより、第一通信部２１によって取得される複数の空間それぞれの温度を、第一通信部２１によって取得された目標温度に近づけてもよい。これにより、より精度の高い空調制御、及び、より効率的な空調制御が可能となる。
【００８６】
また、制御部２２は、さらに、空間１２ａに配置された第一換気装置４０ａ、及び、空間１２ｂに配置された第一換気装置４０ｂを制御してもよい。この場合、複数の第一換気装置は、個別に制御される。つまり、制御部２２は、複数の第一換気装置を個別に制御することにより、第一通信部２１によって取得される複数の空間それぞれの温度を、第一通信部２１によって取得された目標温度に近づけてもよい。これにより、より精度の高い空調制御、及び、より効率的な空調制御が可能となる。
【００８７】
次に、ステップＳ１４の動作の一例として、制御部２２が、空調装置３０ａ、空調装置３０ｂ、及び第二換気装置５０を制御する例について説明する。
【００８８】
例えば、空間１２ａの温度が目標温度よりも高く、空間１２ｂの温度が目標温度よりも低いような場合がある。このような場合、制御部２２は、空調装置３０ａに冷房動作をさせ、かつ、第二換気装置５０を動作させて空間１２ｂから空間１２ａの空気の流れを発生させることにより、空間１２ａの温度を効率的に下げることができる。また、このような場合、制御部２２は、空調装置３０ｂに暖房動作をさせ、かつ、第二換気装置５０を動作させて空間１２ａから空間１２ｂの空気の流れを発生させることにより、空間１２ａの温度を効率的に上げることができる。なお、施設１１に配置された複数の空調装置に冷房動作をさせるか暖房動作をさせるかは、例えば、表示装置７０の入力受付部７２を通じてユーザによって定められる。
【００８９】
以上のように、制御部２２は、複数の空間の間で換気を行う第二換気装置５０をさらに制御することにより、第一通信部２１によって取得される複数の空間それぞれの温度を、第一通信部２１によって取得された目標温度に近づけてもよい。これにより、より精度の高い空調制御、及び、より効率的な空調制御が可能となる。
【００９０】
また、空調制御システム１０において、一部の空調装置が故障したとしても、換気装置を用いて全館空調を継続することができる。つまり、空調制御システム１０においては、施設１１内が空調不能となるリスクが低減されている。
【００９１】
また、空調制御システム１０が動作例２の動作を行う場合に、複数の空間のそれぞれにあらかじめ配置された家庭用の空調装置、及び、施設１１内にあらかじめ配置された換気装置（換気扇）が流用されれば、施設１１において容易に全館空調を実現することができる。
【００９２】
［全館空調モードの動作例３］
制御部２２は、温度に代えて湿度に基づいて動作してもよい。図５は、全館空調モードの動作例３のフローチャートである。
【００９３】
まず、制御装置２０が備える第一通信部２１は、施設１１内の目標湿度（目標湿度情報）を取得する（Ｓ１５）。第一通信部２１は、具体的には、表示装置７０が備える第三通信部７３から目標湿度を受信する。この場合の目標湿度は、空間ごと（空調装置ごと）に定められる目標湿度とは異なり、全館空調の対象となる複数の空間に対して１つだけ定められる。
【００９４】
次に、第一通信部２１は、施設１１内の複数の空間それぞれの湿度（湿度情報）を取得する（Ｓ１６）。第一通信部２１は、空調装置３０が備える第二通信部３１から空間１２の湿度を取得し、空調装置３０ａが備える第二通信部３１から空間１２ａの湿度を取得し、空調装置３０ｂが備える第二通信部３１から空間１２ｂの湿度を取得する。なお、複数の空間それぞれには、温湿度計測装置６５と同様の構成の温湿度計測装置が配置されてもよく、この場合には、第一通信部２１は、複数の空間のそれぞれに配置された温湿度計測装置から複数の空間それぞれの湿度を取得してもよい。
【００９５】
次に、制御部２２は、複数の空間のそれぞれに配置された、送出される風の温度の調整が可能な空調装置を制御することにより、第一通信部２１によって取得される複数の空間それぞれの湿度を、第一通信部２１によって取得された目標湿度に近づける（Ｓ１７）。
【００９６】
制御部２２は、具体的には、空調装置３０、空調装置３０ａ、及び、空調装置３０ｂのそれぞれに制御信号を送信することにより、空間１２、空間１２ａ、及び、空間１２ｂのそれぞれの湿度を、目標湿度に近づける。
【００９７】
例えば、制御部２２は、空間１２の現在の湿度と目標湿度とを比較し、比較結果に基づいて空調装置３０の風量及び風の温度の少なくとも一方を制御することで、空間１２の湿度を目標湿度に近づける。同様に、制御部２２は、空間１２ａの現在の湿度と目標湿度とを比較し、比較結果に基づいて空調装置３０ａの風量及び風の温度の少なくとも一方を制御することで、空間１２ａの湿度を目標湿度に近づける。制御部２２は、空間１２ｂの現在の湿度と目標湿度とを比較し、比較結果に基づいて空調装置３０ｂの風量及び温度の少なくとも一方を制御することで、空間１２ｂの湿度を目標湿度に近づける。
【００９８】
このように、空調制御システム１０は、複数の空間のそれぞれに配置された空調装置を制御することにより、施設１１内の複数の空間の湿度を目標湿度に近づけることができる。つまり、空調制御システム１０は、施設１１内の湿度を均一にする全館空調が可能である。また、複数の空間のそれぞれにあらかじめ配置された家庭用の空調装置が流用されれば、施設１１において容易に全館空調を実現することができる。
【００９９】
なお、空調制御システム１０は、複数の空間のそれぞれに配置された空調装置を制御することにより、温度及び湿度の両方を目標値に近づけてもよい。
【０１００】
［個別空調モードの動作例１］
空調制御システム１０は、上記全館空調モードの動作に加えて個別空調モードの動作を実行することができる。そこで、以下、空調制御システム１０の個別空調モードの動作について説明する。図６は、個別空調モードの動作例１のフローチャートである。
【０１０１】
まず、制御装置２０が備える第一通信部２１は、複数の空間のそれぞれの目標温度を取得する（Ｓ２１）。第一通信部２１は、具体的には、表示装置７０が備える第三通信部７３から複数の空間それぞれの目標温度を受信する。
【０１０２】
次に、第一通信部２１は、施設１１内の複数の空間それぞれの温度（温度情報）を取得する（Ｓ２２）。第一通信部２１は、空調装置３０が備える第二通信部３１から空間１２の温度を取得し、空調装置３０ａが備える第二通信部３１から空間１２ａの温度を取得し、空調装置３０ｂが備える第二通信部３１から空間１２ｂの温度を取得する。
【０１０３】
次に、制御部２２は、複数の空間のそれぞれに配置された、送出される風の温度の調整が可能な空調装置を制御することにより、第一通信部２１によって取得される複数の空間それぞれの温度を、第一通信部２１によって取得された、当該空間に対応する目標温度に近づける（Ｓ２３）。
【０１０４】
例えば、制御部２２は、空間１２の現在の温度と空間１２に対して設定された目標温度とを比較し、比較結果に基づいて空調装置３０の風量及び風の温度の少なくとも一方を制御することで、空間１２の温度を空間１２に対応する目標温度に近づける。同様に、制御部２２は、空間１２ａの現在の温度と空間１２ａに対して設定された目標温度とを比較し、比較結果に基づいて空調装置３０ａの風量及び風の温度の少なくとも一方を制御することで、空間１２ａの温度を空間１２ａに対応する目標温度に近づける。制御部２２は、空間１２ｂの現在の温度と空間１２ｂに対して設定された目標温度とを比較し、比較結果に基づいて空調装置３０ｂの風量及び温度の少なくとも一方を制御することで、空間１２ｂの温度を空間１２ｂに対応する目標温度に近づける。
【０１０５】
このように、空調制御システム１０は、複数の空間のそれぞれに配置された空調装置を制御することにより、施設１１内の複数の空間の温度を当該空間に対応する目標温度に近づけることができる。つまり、空調制御システム１０は、複数の空間を異なる温度にすることができる。
【０１０６】
［個別空調モードの動作例２］
制御部２２は、温度に代えて湿度に基づいて個別空調モードの動作を行ってもよい。図７は、個別空調モードの動作例２のフローチャートである。
【０１０７】
まず、制御装置２０が備える第一通信部２１は、複数の空間のそれぞれの目標湿度を取得する（Ｓ２４）。第一通信部２１は、具体的には、表示装置７０が備える第三通信部７３から複数の空間それぞれの目標湿度を受信する。
【０１０８】
次に、第一通信部２１は、施設１１内の複数の空間それぞれの湿度（湿度情報）を取得する（Ｓ２５）。第一通信部２１は、空調装置３０が備える第二通信部３１から空間１２の湿度を取得し、空調装置３０ａが備える第二通信部３１から空間１２ａの湿度を取得し、空調装置３０ｂが備える第二通信部３１から空間１２ｂの湿度を取得する。
【０１０９】
次に、制御部２２は、複数の空間のそれぞれに配置された、送出される風の温度の調整が可能な空調装置を制御することにより、第一通信部２１によって取得される複数の空間それぞれの湿度を、第一通信部２１によって取得された、当該空間に対応する目標湿度に近づける（Ｓ２６）。
【０１１０】
例えば、制御部２２は、空間１２の現在の湿度と空間１２に対して設定された目標湿度とを比較し、比較結果に基づいて空調装置３０の風量及び風の温度の少なくとも一方を制御することで、空間１２の湿度を目標湿度に近づける。同様に、制御部２２は、空間１２ａの現在の湿度と空間１２ａに対して設定された目標湿度とを比較し、比較結果に基づいて空調装置３０ａの風量及び風の温度の少なくとも一方を制御することで、空間１２ａの湿度を目標湿度に近づける。制御部２２は、空間１２ｂの現在の湿度と空間１２ｂに対して設定された目標湿度とを比較し、比較結果に基づいて空調装置３０ｂの風量及び温度の少なくとも一方を制御することで、空間１２ｂの湿度を目標湿度に近づける。
【０１１１】
このように、空調制御システム１０は、複数の空間のそれぞれに配置された空調装置を制御することにより、施設１１内の複数の空間の湿度を当該空間に対応する目標湿度に近づけることができる。つまり、空調制御システム１０は、複数の空間を異なる湿度にすることができる。
【０１１２】
なお、空調制御システム１０は、複数の空間のそれぞれに配置された空調装置を制御することにより、温度及び湿度の両方を当該空間に対応する目標値に近づけてもよい。
【０１１３】
［ユーザ依存空調制御］
次に、空調制御システム１０のユーザ依存空調制御について説明する。図８は、ユーザ依存空調制御のフローチャートである。
【０１１４】
まず、制御部２２は、全館空調モードの動作を行う（Ｓ３１）。制御部２２は、具体的には、全館空調モードの目標温度及び複数の空間の温度を取得し、複数の空間の温度を、全館空調モードの目標温度に近づける。また、第一通信部２１は、特定のユーザに対して定められる目標温度を取得する（Ｓ３２）。第一通信部２１は、具体的には、表示装置７０が備える第三通信部７３から特定のユーザに対して定められる目標温度を受信する。
【０１１５】
ここで、上述のように、空間１２ａにはユーザ検知装置８０が配置されている。ユーザ検知装置８０は、空間１２ａに特定のユーザがいるか否かを示すユーザ存否情報を送信する。第一通信部２１は、このようなユーザ存否情報を取得する（Ｓ３３）。
【０１１６】
制御部２２は、第一通信部２１によって取得されたユーザ存否情報に基づいて、空間１２ａに特定のユーザがいるか否かを判断する（Ｓ３４）。制御部２２は、空間１２ａに特定のユーザがいると判断した場合（Ｓ３４でＹｅｓ）、空調装置３０ａを制御することにより、空間１２ａの温度を、特定のユーザに対して定められた目標温度に近づける（Ｓ３５）。なお、この場合、空間１２など施設１１内の他の空間の温度は、全館空調モードの目標温度に近づけられる。
【０１１７】
一方で、制御部２２は、空間１２ａに特定のユーザがいないと判断した場合（Ｓ３４でＮｏ）、空調装置３０ａを制御することにより、空間１２ａの温度を、全館空調モードの目標温度に近づける（Ｓ３６）。
【０１１８】
これにより、制御部２２は、空間１２ａに特定のユーザがいるときに、自動的に、空間１２ａを特定のユーザの好みの温度にすることができる。
【０１１９】
なお、図８に示されるフローチャートは、全館空調モードの動作中にユーザ依存空調制御が行われたが、ユーザ依存空調制御は、個別空調モードの動作中に行われてもよい。つまり、ユーザ依存空調制御は、全館空調モードの動作にも、個別空調モードの動作にも適用可能である。また、ユーザ依存空調制御において、制御部２２は、温度に代えて湿度を特定のユーザに対して定められた目標湿度に近づけてもよいし、温度及び湿度を特定のユーザに対して定められた目標値に近づけてもよい。
【０１２０】
また、ユーザ検知装置８０は、複数の空間のそれぞれに配置されてもよい。これにより、施設１１内においては、特定のユーザがいる空間の温度は、特定のユーザに対して定められた目標温度となるため、特定のユーザは快適に暮らすことができる。また、ユーザ検知装置８０は、２以上の特定のユーザを検知してもよい。これにより、２以上の特定のユーザが快適に暮らすことができる。
【０１２１】
［外気温を考慮した制御］
ところで、空調制御システム１０において、冬場に目標温度が空間の温度よりも低いからといって空調装置に冷房動作を行わせると、ユーザが戸惑うことになる。
【０１２２】
このような場合、制御部２２は、第一通信部２１によって取得された施設１１外の温度（外気温）に基づいて、空調装置３０を制御してもよい。制御部２２は、外気温を考慮した制御によって、暖房動作が冷房動作に切り替わることを抑制することができる。図９は、外気温を考慮した制御の一例を示すフローチャートである。
【０１２３】
例えば、制御部２２は、空調装置３０に暖房動作をさせる（Ｓ４１）。このとき、制御部２２は、第一通信部２１によって取得された目標温度が、第一通信部によって取得された空間１２の温度よりも低いか否かを判定する（Ｓ４２）。制御部２２は、目標温度が空間１２の温度以上であると判断した場合（Ｓ４２でＮｏ）、暖房動作を継続させる（Ｓ４１）。
【０１２４】
一方、制御部２２は、目標温度が空間１２の温度よりも低いと判断した場合（Ｓ４２でＹｅｓ）、第一通信部２１によって取得された外気温（外気温情報）が、第１の所定値以下であるかを判断する（Ｓ４３）。外気温は、例えば、室外機６０から取得される。第１の所定値は、例えば、目標温度以下の値に設定される。第１の所定値の具体的な値は、実験的または経験的に適宜定められればよい。
【０１２５】
制御部２２は、外気温が第１の所定値よりも高いと判断した場合（Ｓ４３でＮｏ）、空調装置３０に冷房動作をさせる（Ｓ４４）。一方、制御部２２は、外気温が第１の所定値以下であると判断した場合（Ｓ４３でＮｏ）、空調装置３０に冷房動作をさせない（Ｓ４５）。このような場合、例えば、冷房動作をさせずに空調装置３０を一時停止状態にしておけば、空間１２の温度は、外気温に近づく。つまり、空間１２の温度は、自ずと目標温度に近づくため、空調装置３０に冷房動作を行わせなくてもよいからである。
【０１２６】
このような外気温を考慮した空調装置３０の制御によれば、暖房動作が冷房動作に切り替わることを抑制することができる。
【０１２７】
以上の説明と同様に、空調制御システム１０において、夏場に目標温度が空間の温度よりも高いからといって空調装置に暖房動作を行わせると、ユーザが戸惑うことになる。このような場合も、制御部２２は、外気温を考慮することにより、冷房動作が暖房動作に切り替わることを抑制することができる。図１０は、外気温を考慮した制御の別の例を示すフローチャートである。
【０１２８】
例えば、制御部２２は、空調装置３０に冷房動作をさせる（Ｓ５１）。このとき、制御部２２は、第一通信部２１によって取得された目標温度が、第一通信部によって取得された空間１２の温度よりも高いか否かを判定する（Ｓ５２）。制御部２２は、目標温度が空間１２の温度以下であると判断した場合（Ｓ５２でＮｏ）、暖房動作を継続させる（Ｓ５１）。
【０１２９】
一方、制御部２２は、目標温度が空間１２の温度よりも高いと判断した場合（Ｓ５２でＹｅｓ）、第一通信部２１によって取得された外気温（外気温情報）が、第２の所定値以下であるかを判断する（Ｓ５３）。外気温は、例えば、室外機６０から取得される。第２の所定値は、例えば、目標温度以上の値に設定される。第２の所定値の具体的な値は、実験的または経験的に適宜定められればよい。
【０１３０】
制御部２２は、外気温が第２の所定値よりも低いと判断した場合（Ｓ５３でＮｏ）、空調装置３０に暖房動作をさせる（Ｓ５４）。一方、制御部２２は、外気温が第２の所定値以上であると判断した場合（Ｓ５３でＮｏ）、空調装置３０に暖房動作をさせない（Ｓ５５）。このような場合、例えば、暖房動作をさせずに空調装置３０を一時停止状態にしておけば、空間１２の温度は、外気温に近づく。つまり、空間１２の温度は、自ずと目標温度に近づくため、空調装置３０に暖房動作を行わせなくてもよいからである。
【０１３１】
このような外気温を考慮した空調装置３０の制御によれば、冷房動作が暖房冷房動作に切り替わることを抑制することができる。
【０１３２】
［その他の制御１］
上述の全館空調モードでは、基本的には、空調制御システム１０の構成要素は１年中電源が入ったまま動作し続ける。しかしながら、例えば、節電のために、使用していない（人がいない）空間に配置された空調装置または換気装置の動作（電源）をオフしたいという要求がある。
【０１３３】
ここで、１台の専用の空調装置で全館空調を行う構成とは異なり、空調制御システム１０においては、部分的に空調装置または換気装置を停止させることができる。図１１は、複数の空調装置を個別にオンまたはオフする制御の一例を示すフローチャートである。
【０１３４】
まず、第一通信部２１は、ユーザの指示を取得する（Ｓ６１）。第一通信部２１は、具体的には、表示装置７０が備える第三通信部７３から複数の空調装置を個別にオンまたはオフするためのユーザの指示を受信する。ユーザの指示は、ユーザによって、表示装置７０が備える入力受付部７２に入力される。
【０１３５】
制御部２２は、ユーザの指示に基づいて複数の空調装置を個別にオンまたはオフする（Ｓ６２）。制御部２２は、具体的には、ユーザによってオンが指示された空調装置をオンし、ユーザによってオフが指示された空調装置をオフする。なお、制御部２２は、ユーザの指示に基づいて、複数の換気装置を個別にオンまたはオフしてもよい。
【０１３６】
このように、空調制御システム１０は、一部の空調装置または換気装置の動作をオフしても、他の空調装置または換気装置が全館空調モードの動作を維持できる利点を有する。また、オフされた空調装置が配置された空間の温度はゆるやかに変化するため、短時間で再度空調装置がオンされたときに必要なエネルギーは少ない。
【０１３７】
なお、上記の複数の空調装置または複数の換気装置を個別にオンまたはオフする制御は、全館空調モードの動作中に行われてもよいし、個別空調モードの動作中に行われてもよい。
【０１３８】
［その他の制御２］
また、複数の空間のそれぞれに、焦電センサなどの人感センサが配置され、制御装置２０が人感センサの検知結果を無線通信などによって取得することで、制御部２２は、人がいないと判断される空間に配置された空調装置の動作（電源）を自動的にオフすることもできる。図１２は、人の存否に基づいて空調装置をオンまたはオフする制御の一例を示すフローチャートである。なお、図１２の例では、人感センサに代えて、空調装置が備える熱画像センサによって人の存否が判断される。
【０１３９】
例えば、第一通信部２１は、施設１１内の空間１２に人がいるか否かを示す存否情報を取得する（Ｓ７１）。存否情報は、空調装置３０が備える熱画像センサ３３によって生成される。つまり、第一通信部２１は、空調装置３０から存否情報を受信する。
【０１４０】
制御部２２は、存否情報によって人がいるか否かが示される空間１２に配置された空調装置３０を、在否情報に基づいてオンまたはオフする（Ｓ７２）。制御部２２は、存否情報によって空間１２に人がいることが示される場合には、空調装置３０をオンし、存否情報によって空間１２に人がいないことが示される場合には、空調装置３０をオフする。
【０１４１】
これにより、空調制御システム１０は、空間１２に人がいるか否かに基づいて、空間１２に配置された空調装置３０を自動的にオンまたはオフすることができる。オフされた空調装置が配置された空間の温度はゆるやかに変化するため、短時間で再度空調装置がオンされたときに必要なエネルギーは少ない。
【０１４２】
なお、制御部２２は、空間１２ａ及び空間１２ｂにおいても同様の制御を行うことができる。この場合、制御部２２は、存否情報に基づいて、第一換気装置４０ａまたは第一換気装置４０ｂをオンまたはオフしてもよい。
【０１４３】
また、存否情報に基づいて空調装置または換気装置をオンまたはオフする制御は、全館空調モードの動作中に行われてもよいし、個別空調モードの動作中に行われてもよい。全館空調モードの動作中には、基本的には施設１１内の複数の空調装置は全てオンされるが、複数の空調装置のうち、人が不在の空間に配置された動作の必要のない空調装置が在否情報に基づいて選択的にオフされることにより、省エネルギー化を図ることができる。
【０１４４】
［効果等］
以上説明したように、空調制御システム１０は、施設１１内の目標温度を取得し、かつ、施設１１内の複数の空間それぞれの温度を取得する第一通信部２１を備える。また、空調制御システム１０は、複数の空間のそれぞれに配置された、送出される風の温度の調整が可能な空調装置を制御することにより、第一通信部２１によって取得される複数の空間それぞれの温度を、第一通信部２１によって取得された目標温度に近づける制御部２２を備える。第一通信部２１は、温度取得部及び目標温度取得部の一例である。
【０１４５】
このように、空調制御システム１０は、施設１１内の湿度を均一にする全館空調が可能である。また、空調制御システム１０は、複数の空調装置を用いて全館空調を行うため、一部の空調装置が故障したとしても、他の空調装置を用いて全館空調を継続することができる。つまり、空調制御システム１０においては、施設１１内が空調不能となるリスクが低減されている。
【０１４６】
また、空調制御システム１０において、複数の空間のそれぞれにあらかじめ配置された家庭用の空調装置が流用されれば、施設１１において容易に低コストで全館空調を実現することができる。空調制御システム１０において家庭用の空調装置が流用されれば、一部の空調装置が故障したとしても空調装置の入れ替えにかかるコストが低い利点もある。
【０１４７】
また、制御部２２は、施設１１内と施設１１外との間で換気を行う第一換気装置４０をさらに制御することにより、第一通信部２１によって取得される複数の空間それぞれの温度を、第一通信部２１によって取得された目標温度に近づけてもよい。
【０１４８】
これにより、空調制御システム１０は、施設１１内で気流を形成することによって、精度の高い空調制御、及び、効率的な空調制御を行うことができる。また、空調制御システム１０においては、一部の空調装置が故障したとしても、他の換気装置を用いて全館空調を継続することができる。つまり、空調制御システム１０においては、施設１１内が空調不能となるリスクが低減されている。
【０１４９】
また、制御部２２は、第一換気装置４０の風量を制御することにより、第一通信部２１によって取得される複数の空間それぞれの温度を、第一通信部２１によって取得された前記目標温度に近づけてもよい。
【０１５０】
これにより、空調制御システム１０は、施設１１内における気流を調整することによって、より精度の高い空調制御、及び、より効率的な空調制御が可能となる。
【０１５１】
また、制御部２２は、複数の第一換気装置を個別に制御することにより、第一通信部２１によって取得される複数の空間それぞれの温度を、第一通信部２１によって取得された目標温度に近づけてもよい。
【０１５２】
これにより、空調制御システム１０は、施設１１内における気流を調整することによって、より精度の高い空調制御、及び、より効率的な空調制御が可能となる。
【０１５３】
また、制御部２２は、複数の空間の間で換気を行う第二換気装置５０をさらに制御することにより、第一通信部２１によって取得される複数の空間それぞれの温度を、第一通信部２１によって取得された目標温度に近づけてもよい。
【０１５４】
これにより、空調制御システム１０は複数の空間の間で換気を行う第二換気装置５０により施設１１内で気流を形成することによって、精度の高い空調制御、及び、効率的な空調制御を行うことができる。
【０１５５】
また、第一通信部２１は、さらに、施設１１の外気温を取得し、制御部２２は、第一通信部２１によって取得された施設１１外の温度に基づいて、空調装置３０を制御してもよい。
【０１５６】
これにより、空調制御システム１０は、施設１１の外気温に基づいて効率的な空調制御を行うことができる。
【０１５７】
また、制御部２２は、目標温度が、第一通信部２１によって取得された一の空間１２の温度よりも低く、かつ、第一通信部２１によって取得された外気温が目標温度以下の第１の所定値よりも低い場合、当該一の空間１２に配置された空調装置３０に冷房をさせなくてもよい。また、制御部２２は、目標温度が、第一通信部２１によって取得された一の空間１２の温度よりも高く、かつ、第一通信部２１によって取得された外気温が目標温度以上の第２の所定値よりも高い場合、当該一の空間１２に配置された空調装置３０に暖房をさせなくてもよい。
【０１５８】
これにより、空調制御システム１０は、暖房動作と冷房動作との切り替えを抑制することができる。
【０１５９】
また、第一通信部２１は、さらに、特定のユーザに対して定められる目標温度を取得し、かつ、施設１１内の空間１２ａに特定のユーザがいるか否かを示すユーザ存否情報を取得してもよい。制御部２２は、空調装置３０ａを制御することによって、ユーザ存否情報に基づいて特定のユーザがいると判断される空間１２ａの温度を、第一通信部２１によって取得された目標温度に近づける動作をさらに行ってもよい。第一通信部２１は、特定目標温度取得部及びユーザ存否情報取得部の一例である。
【０１６０】
これにより、空調制御システム１０は、特定のユーザがいる空間の温度は、特定のユーザに対して定められた目標温度に近づけることができる。
【０１６１】
また、第一通信部２１は、さらに、複数の空間のそれぞれの目標温度を取得してもよい。制御部２２は、空調装置を制御することによって、温度取得部によって取得される複数の空間それぞれの温度を、第一通信部２１によって取得された当該空間に対応する目標温度に近づける動作をさらに行ってもよい。第一通信部２１は、個別目標温度取得部の一例である。
【０１６２】
これにより、空調制御システム１０は、複数の空間を異なる温度にすることができる。
【０１６３】
また、第一通信部２１は、さらに、複数の空調装置を個別にオフするためのユーザの指示を取得してもよい。制御部２２は、ユーザの指示に基づいて複数の空調装置を個別にオフしてもよい。第一通信部２１は、指示取得部の一例である。
【０１６４】
これにより、ユーザは、複数の空調装置を個別にオフすることができる。
【０１６５】
また、第一通信部２１は、施設１１内の空間１２に人がいるか否かを示す存否情報を取得してもよい。制御部２２は、存否情報によって人の不在が示される空間１２に配置された空調装置３０をオフしてもよい。第一通信部２１は、存否情報取得部の一例である。
【０１６６】
これにより、空調制御システム１０は、空間１２に人がいるか否かに基づいて、空間１２に配置された空調装置３０を自動的にオフすることができる。
【０１６７】
また、空調制御システム１０は、施設１１内の目標湿度を取得し、かつ、施設１１内の複数の空間それぞれの湿度を取得する第一通信部２１を備える。空調制御システム１０は、複数の空間のそれぞれに配置された、送出される風の温度の調整が可能な空調装置を制御することにより、第一通信部２１によって取得される複数の空間それぞれの湿度を、第一通信部２１によって取得された目標湿度に近づける制御部２２を備える。第一通信部２１は、目標湿度取得部及び湿度取得部の一例である。
【０１６８】
このように、空調制御システム１０は、施設１１内の湿度を均一にする全館空調が可能である。また、空調制御システム１０は、複数の空調装置を用いて全館空調を行うため、一部の空調装置が故障したとしても、他の空調装置を用いて全館空調を継続することができる。つまり、空調制御システム１０においては、施設１１内が空調不能となるリスクが低減されている。
【０１６９】
また、空調制御システム１０において、複数の空間のそれぞれにあらかじめ配置された家庭用の空調装置が流用されれば、施設１１において容易に低コストで全館空調を実現することができる。空調制御システム１０において家庭用の空調装置が流用されれば、一部の空調装置が故障したとしても空調装置の入れ替えにかかるコストが低い利点もある。
【０１７０】
また、第一通信部２１は、さらに、複数の空間のそれぞれの目標湿度を取得してもよい。制御部２２は、空調装置を制御することによって、第一通信部２１によって取得される複数の空間それぞれの湿度を、第一通信部２１によって取得された当該空間に対応する目標湿度に近づける動作をさらに行ってもよい。個別目標湿度取得部の一例である。
【０１７１】
これにより、空調制御システム１０は、複数の空間を異なる湿度にすることができる。
【０１７２】
（その他の実施の形態）
以上、実施の形態に係る空調制御システムについて説明したが、本発明は、上記実施の形態に限定されるものではない。
【０１７３】
上記実施の形態で説明した装置間の通信方法は、一例である。装置間の通信方法については特に限定されるものではない。装置間では、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われる。
【０１７４】
また、装置間においては、無線通信に代えて、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信など、有線通信が行われてもよい。
【０１７５】
また、例えば、上記実施の形態において、特定の処理部が実行する処理を別の処理部が実行してもよい。また、複数の処理の順序が変更されてもよいし、複数の処理が並行して実行されてもよい。
【０１７６】
また、上記実施の形態における構成要素の装置への振り分けは、一例である。例えば、また、表示装置と制御装置とが１つの装置とされてもよい。つまり、表示装置が有する各構成要素を制御装置が有してもよい。
【０１７７】
また、上記実施の形態では、制御装置は、施設内に設けられたが、例えば、制御装置は、施設外に設けられたサーバとして実現されてもよい。また、制御装置が備える構成要素のうち記憶部のみが、施設外に設けられたサーバとして実現されてもよい。
【０１７８】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１７９】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１８０】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、上記制御装置として実現されてもよいし、空調制御方法、または、空緒制御方法をコンピュータに実行させるためのプログラムとして実現されてもよい。
【０１８１】
また、上記実施の形態において説明された空調制御システムの動作における複数の処理の順序は一例である。複数の処理の順序は、変更されてもよいし、複数の処理は、並行して実行されてもよい。
【０１８２】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１８３】
１０  空調制御システム
１１  施設
１２、１２ａ、１２ｂ、１２ｃ  空間
２１  第一通信部（目標温度取得部、温度取得部、外気温取得部、特定目標温度取得部、ユーザ存否情報取得部、個別目標温度取得部、指示取得部、存否情報取得部、目標湿度取得部、湿度取得部、個別目標湿度取得部）
２２  制御部
３０、３０ａ、３０ｂ  空調装置
４０、４０ａ、４０ｂ  第一換気装置
５０  第二換気装置
【図１】
0006751885.tif 000002
【図２】
0006751885.tif 000003
【図３】
0006751885.tif 000004
【図４】
0006751885.tif 000005
【図５】
0006751885.tif 000006
【図６】
0006751885.tif 000007
【図７】
0006751885.tif 000008
【図８】
0006751885.tif 000009
【図９】
0006751885.tif 000010
【図１０】
0006751885.tif 000011
【図１１】
0006751885.tif 000012
【図１２】
0006751885.tif 000013